(57)【要約】      （修正有）【課題】簡便な構成でレジャーとしての釣りに於いても使用可能で、マグロ等の魚類の釣りの際の食害を忌避することの出来る装置を提供する。【解決手段】粘弾性を有する材料よりなるチューブ状部材１と、チューブ状部材１の一部に設けられ或いは内蔵された電源装置２と、チューブ状部材１の外面の一部或いは全部に設けられた電極と、チューブ状部材１から延伸する対向電極４を備えた紐状の部材と、電極間に電圧を印加するための電源装置２からの通電をオンオフするスイッチと、チューブ状部材１を輪状に連接するジョイント部材３を備え、水中に投入して電極間に電圧を印加することにより、水中に生息する鮫等の人的被害或いは食害を齎す生物を忌避する装置、その使用方法。【選択図】図１
2019068766.tif 000002
【特許請求の範囲】
【請求項１】
水中に生息する鮫等の人的被害或いは食害を齎す生物を忌避する装置であって、
粘弾性を有する材料よりなるチューブ状部材と、
該チューブ状部材の一部に設けられ或いは内蔵された電源装置と、
該チューブ状部材の外面の一部或いは全部に設けられた電極と、
該チューブ状部材から延伸する対向電極を備えた紐状の部材と、
該電極間に電圧を印加するための電源装置からの通電をオンオフするスイッチと、
該チューブ状部材を輪状に連接するジョイント部材を備え、
水中に投入して該電極間に電圧を印加することにより、
水中に生息する鮫等の人的被害或いは食害を齎す生物を忌避する装置。
【請求項２】
該装置をマグロ等の魚類の釣りの際の食害を忌避するために用いるにあたり、
該装置は船上に於いては該スイッチがオフ且つ該ジョイント部材が連接されていない状態で保管され、
マグロ等の釣り対象魚が針にかかった後に該チューブ状部材を道糸を囲むように輪状にジョイント部材により連接し、
道糸をガイドにして釣り対象魚の近傍まで投入することを特徴とする、
請求項１記載の水中に生息する鮫等の人的被害或いは食害を齎す生物を忌避する装置。
【請求項３】
該チューブ状部材に用いる粘弾性を有する材料は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする、
請求項１又は２に記載の水中に生息する鮫等の人的被害或いは食害を齎す生物を忌避する装置。
【請求項４】
該チューブ状部材を輪状に連接した状態での輪の大きさは、
１０ｃｍ以上６０ｃｍ以下であることを特徴とする、
請求項１乃至３の何れか一に記載の水中に生息する鮫等の人的被害或いは食害を齎す生物を忌避する装置。
【請求項５】
該チューブ状部材を輪状に連接した状態での輪の大きさは、
１５ｃｍ以上４０ｃｍ以下であることを特徴とする、
請求項４記載の水中に生息する鮫等の人的被害或いは食害を齎す生物を忌避する装置。
【請求項６】
該チューブ状部材を連接するためのジョイントは、
両端が相互に嵌合する構造としたことにより為されることを特徴とする、
請求項１乃至５の何れか一に記載の水中に生息する鮫等の人的被害或いは食害を齎す生物を忌避する装置。
【請求項７】
該チューブ状部材を連接するためのジョイントは、
磁石により接合するする構造としたことにより為されることを特徴とする、
請求項１乃至５の何れか一に記載の水中に生息する鮫等の人的被害或いは食害を齎す生物を忌避する装置。
【請求項８】
該チューブ状部材を連接するためのジョイントに用いられる磁石は、
ネオジム磁石であることを特徴とする、
請求項７記載の水中に生息する鮫等の人的被害或いは食害を齎す生物を忌避する装置。
【請求項９】
該チューブ状部材から延伸する対向電極を備えた紐状の部材の長さは、
３０ｃｍ以上３ｍ以下であることを特徴とする、
請求項１乃至８の何れか一に記載の水中に生息する鮫等の人的被害或いは食害を齎す生物を忌避する装置。
【請求項１０】
該チューブ状部材から延伸する対向電極を備えた紐状の部材の長さは、
５０ｃｍ以上２m以下であることを特徴とする、
請求項９記載の水中に生息する鮫等の人的被害或いは食害を齎す生物を忌避する装置。
【請求項１１】
該電極間に電圧を印加するための電源装置は、
電池を含んでなることを特徴とする、
請求項１乃至１０の何れか一に記載の水中に生息する鮫等の人的被害或いは食害を齎す生物を忌避する装置。
【請求項１２】
該電池は、
乾電池、ボタン型電池或いは充放電が可能な蓄電池であることを特徴とする、
請求項１１記載の水中に生息する鮫等の人的被害或いは食害を齎す生物を忌避する装置。
【請求項１３】
該電極間に電圧を印加するための電源装置は、
パルス電圧を生成し供給する機能を有することを特徴とする、
請求項１乃至１２の何れか一に記載の水中に生息する鮫等の人的被害或いは食害を齎す生物を忌避する装置。
【請求項１４】
該電極間に電圧を印加するための電源装置により供給されるパルス電圧は、
パルス幅が１００ｍｓ以上３s以下であることを特徴とする、
請求項１３記載の水中に生息する鮫等の人的被害或いは食害を齎す生物を忌避する装置。
【請求項１５】
該電極間に電圧を印加するための電源装置により供給されるパルス電圧は、
パルス間の時間が５ｓ以上３０s以下であることを特徴とする、
請求項１３又は１４記載の水中に生息する鮫等の人的被害或いは食害を齎す生物を忌避する装置。
【請求項１６】
該電極間に電圧を印加するための電源装置により供給される電圧は、
３V以上３０V以下であることを特徴とする、
請求項１３乃至１５の何れか一に記載の水中に生息する鮫等の人的被害或いは食害を齎す生物を忌避する装置。
【請求項１７】
該電極間に電圧を印加するための電源装置からの通電をオンオフするスイッチは、
該チューブ状部材を連接するためのジョイントが連接されることによりオンとなる構成であることを特徴とする、
請求項１乃至１６の何れか一に記載の水中に生息する鮫等の人的被害或いは食害を齎す生物を忌避する装置。
【請求項１８】
該電極間に電圧を印加するための電源装置からの通電をオンオフするスイッチは、
水中に投入された場合にセンサーが反応してオンとなる構成であることを特徴とする、
請求項１乃至１６の何れか一に記載の水中に生息する鮫等の人的被害或いは食害を齎す生物を忌避する装置。
【請求項１９】
該装置をマグロ等の魚類の釣りの際の食害を忌避するために用いるにあたり、
該チューブ状部材を輪状に連接した本体は、投入後に対象魚の頭部に嵌ることにより鰓蓋の動きを制限し、対象魚の活動を規制することを特徴とする、
請求項２乃至１８の何れか一に記載の水中に生息する鮫等の人的被害或いは食害を齎す生物を忌避する装置。
【請求項２０】
該装置をサーフィン等の海洋レジャー時の鮫等による人的被害を忌避するために用いるにあたり、
該装置は使用者の腕、脚等に装着、救命胴衣等の装備に装着或いはサーフボード等の器具に設置して用いることを特徴とする、
請求項１記載の水中に生息する鮫等の人的被害或いは食害を齎す生物を忌避する装置。
【請求項２１】
該チューブ状部材に用いる粘弾性を有する材料は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする、
請求項２０記載の水中に生息する鮫等の人的被害或いは食害を齎す生物を忌避する装置。
【請求項２２】
該チューブ状部材を輪状に連接した状態での輪の大きさは、
１０ｃｍ以上６０ｃｍ以下であることを特徴とする、
請求項２０又は２１記載の水中に生息する鮫等の人的被害或いは食害を齎す生物を忌避する装置。
【請求項２３】
該チューブ状部材を輪状に連接した状態での輪の大きさは、
１５ｃｍ以上４０ｃｍ以下であることを特徴とする、
請求項２２記載の水中に生息する鮫等の人的被害或いは食害を齎す生物を忌避する装置。
【請求項２４】
該チューブ状部材を連接するためのジョイントは、
両端が相互に嵌合する構造としたことにより為されることを特徴とする、
請求項２０乃至２３の何れか一に記載の水中に生息する鮫等の人的被害或いは食害を齎す生物を忌避する装置。
【請求項２５】
該チューブ状部材を連接するためのジョイントは、
磁石により接合するする構造としたことにより為されることを特徴とする、
請求項２０乃至２３の何れか一に記載の水中に生息する鮫等の人的被害或いは食害を齎す生物を忌避する装置。
【請求項２６】
該チューブ状部材を連接するためのジョイントに用いられる磁石は、
ネオジム磁石であることを特徴とする、
請求項２５記載の水中に生息する鮫等の人的被害或いは食害を齎す生物を忌避する装置。
【請求項２７】
該チューブ状部材から延伸する対向電極を備えた紐状の部材の長さは、
２０ｃｍ以上２ｍ以下であることを特徴とする、
請求項２０乃至２６の何れか一に記載の水中に生息する鮫等の人的被害或いは食害を齎す生物を忌避する装置。
【請求項２８】
該チューブ状部材から延伸する対向電極を備えた紐状の部材の長さは、
３５ｃｍ以上１m５０ｃｍ以下であることを特徴とする、
請求項２７記載の水中に生息する鮫等の人的被害或いは食害を齎す生物を忌避する装置。
【請求項２９】
該電極間に電圧を印加するための電源装置は、
電池を含んでなることを特徴とする、
請求項２０乃至２８の何れか一に記載の水中に生息する鮫等の人的被害或いは食害を齎す生物を忌避する装置。
【請求項３０】
該電池は、
乾電池、ボタン型電池或いは充放電が可能な蓄電池であることを特徴とする、
請求項２９記載の水中に生息する鮫等の人的被害或いは食害を齎す生物を忌避する装置。
【請求項３１】
該電極間に電圧を印加するための電源装置は、
パルス電圧を生成し供給する機能を有することを特徴とする、
請求項２０乃至３０の何れか一に記載の水中に生息する鮫等の人的被害或いは食害を齎す生物を忌避する装置。
【請求項３２】
該電極間に電圧を印加するための電源装置により供給されるパルス電圧は、
パルス幅が１００ｍｓ以上３s以下であることを特徴とする、
請求項３１記載の水中に生息する鮫等の人的被害或いは食害を齎す生物を忌避する装置。
【請求項３３】
該電極間に電圧を印加するための電源装置により供給されるパルス電圧は、
パルス間の時間が５ｓ以上３０s以下であることを特徴とする、
請求項３１又は３２記載の水中に生息する鮫等の人的被害或いは食害を齎す生物を忌避する装置。
【請求項３４】
該電極間に電圧を印加するための電源装置により供給される電圧は、
３V以上３０V以下であることを特徴とする、
請求項３１乃至３３の何れか一に記載の水中に生息する鮫等の人的被害或いは食害を齎す生物を忌避する装置。
【請求項３５】
該電極間に電圧を印加するための電源装置からの通電をオンオフするスイッチは、
水中に投入された場合にセンサーが反応してオンとなる構成であることを特徴とする、
請求項２０乃至３４の何れか一に記載の水中に生息する鮫等の人的被害或いは食害を齎す生物を忌避する装置。
【請求項３６】
水中に生息する鮫等の人的被害或いは食害を齎す生物を忌避する装置の使用方法であって、
粘弾性を有する材料よりなるチューブ状部材と、
該チューブ状部材の一部に設けられ或いは内蔵された電源装置と、
該チューブ状部材の外面の一部或いは全部に設けられた電極と、
該チューブ状部材から延伸する対向電極を備えた紐状の部材と、
該電極間に電圧を印加するための電源装置からの通電をオンオフするスイッチと、
該チューブ状部材を輪状に連接するジョイント部材を備え、
水中に投入して該電極間に電圧を印加することにより、
水中に生息する鮫等の人的被害或いは食害を齎す生物を忌避する装置の使用方法。
【請求項３７】
該装置をマグロ等の魚類の釣りの際の食害を忌避するために用いるにあたり、
該装置は船上に於いては該スイッチがオフ且つ該ジョイント部材が連接されていない状態で保管され、
マグロ等の釣り対象魚が針にかかった後に該チューブ状部材を道糸を囲むように輪状にジョイント部材により連接し、
道糸をガイドにして釣り対象魚の近傍まで投入することを特徴とする、
請求項３６記載の水中に生息する鮫等の人的被害或いは食害を齎す生物を忌避する装置の使用方法。
【請求項３８】
該チューブ状部材に用いる粘弾性を有する材料は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする、
請求項３６又は３７に記載の水中に生息する鮫等の人的被害或いは食害を齎す生物を忌避する装置の使用方法。
【請求項３９】
該チューブ状部材を輪状に連接した状態での輪の大きさは、
１０ｃｍ以上６０ｃｍ以下であることを特徴とする、
請求項３６乃至３８の何れか一に記載の水中に生息する鮫等の人的被害或いは食害を齎す生物を忌避する装置の使用方法。
【請求項４０】
該チューブ状部材を輪状に連接した状態での輪の大きさは、
１５ｃｍ以上４０ｃｍ以下であることを特徴とする、
請求項３９記載の水中に生息する鮫等の人的被害或いは食害を齎す生物を忌避する装置の使用方法。
【請求項４１】
該チューブ状部材を連接するためのジョイントは、
両端が相互に嵌合する構造としたことにより為されることを特徴とする、
請求項３６乃至４０の何れか一に記載の水中に生息する鮫等の人的被害或いは食害を齎す生物を忌避する装置の使用方法。
【請求項４２】
該チューブ状部材を連接するためのジョイントは、
磁石により接合するする構造としたことにより為されることを特徴とする、
請求項３６乃至４１の何れか一に記載の水中に生息する鮫等の人的被害或いは食害を齎す生物を忌避する装置の使用方法。
【請求項４３】
該チューブ状部材を連接するためのジョイントに用いられる磁石は、
ネオジム磁石であることを特徴とする、
請求項４２記載の水中に生息する鮫等の人的被害或いは食害を齎す生物を忌避する装置の使用方法。
【請求項４４】
該チューブ状部材から延伸する対向電極を備えた紐状の部材の長さは、
３０ｃｍ以上３ｍ以下であることを特徴とする、
請求項３６乃至４３の何れか一に記載の水中に生息する鮫等の人的被害或いは食害を齎す生物を忌避する装置の使用方法。
【請求項４５】
該チューブ状部材から延伸する対向電極を備えた紐状の部材の長さは、
５０ｃｍ以上２m以下であることを特徴とする、
請求項４４記載の水中に生息する鮫等の人的被害或いは食害を齎す生物を忌避する装置の使用方法。
【請求項４６】
該電極間に電圧を印加するための電源装置は、
電池を含んでなることを特徴とする、
請求項３６乃至４５の何れか一に記載の水中に生息する鮫等の人的被害或いは食害を齎す生物を忌避する装置の使用方法。
【請求項４７】
該電池は、
乾電池、ボタン型電池或いは充放電が可能な蓄電池であることを特徴とする、
請求項４６記載の水中に生息する鮫等の人的被害或いは食害を齎す生物を忌避する装置の使用方法。
【請求項４８】
該電極間に電圧を印加するための電源装置は、
パルス電圧を生成し供給する機能を有することを特徴とする、
請求項３６乃至４７の何れか一に記載の水中に生息する鮫等の人的被害或いは食害を齎す生物を忌避する装置の使用方法。
【請求項４９】
該電極間に電圧を印加するための電源装置により供給されるパルス電圧は、
パルス幅が１００ｍｓ以上３s以下であることを特徴とする、
請求項４８記載の水中に生息する鮫等の人的被害或いは食害を齎す生物を忌避する装置の使用方法。
【請求項５０】
該電極間に電圧を印加するための電源装置により供給されるパルス電圧は、
パルス間の時間が５ｓ以上３０s以下であることを特徴とする、
請求項４８又は４９記載の水中に生息する鮫等の人的被害或いは食害を齎す生物を忌避する装置の使用方法。
【請求項５１】
該電極間に電圧を印加するための電源装置により供給される電圧は、
３V以上３０V以下であることを特徴とする、
請求項４８乃至５０の何れか一に記載の水中に生息する鮫等の人的被害或いは食害を齎す生物を忌避する装置の使用方法。
【請求項５２】
該電極間に電圧を印加するための電源装置からの通電をオンオフするスイッチは、
該チューブ状部材を連接するためのジョイントが連接されることによりオンとなる構成であることを特徴とする、
請求項３６乃至５１の何れか一に記載の水中に生息する鮫等の人的被害或いは食害を齎す生物を忌避する装置の使用方法。
【請求項５３】
該電極間に電圧を印加するための電源装置からの通電をオンオフするスイッチは、
水中に投入された場合にセンサーが反応してオンとなる構成であることを特徴とする、
請求項３６乃至５１の何れか一に記載の水中に生息する鮫等の人的被害或いは食害を齎す生物を忌避する装置の使用方法。
【請求項５４】
該装置をマグロ等の魚類の釣りの際の食害を忌避するために用いるにあたり、
該チューブ状部材を輪状に連接した本体は、投入後に対象魚の頭部に嵌ることにより鰓蓋の動きを制限し、対象魚の活動を規制することを特徴とする、
請求項３７乃至５３の何れか一に記載の水中に生息する鮫等の人的被害或いは食害を齎す生物を忌避する装置の使用方法。
【請求項５５】
該装置をサーフィン等の海洋レジャー時の鮫等による人的被害を忌避するために用いるにあたり、
該装置は使用者の腕、脚等に装着、救命胴衣等の装備に装着或いはサーフボード等の器具に設置して用いることを特徴とする、
請求項３６記載の水中に生息する鮫等の人的被害或いは食害を齎す生物を忌避する装置の使用方法。
【請求項５６】
該チューブ状部材に用いる粘弾性を有する材料は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする、
請求項５５記載の水中に生息する鮫等の人的被害或いは食害を齎す生物を忌避する装置の使用方法。
【請求項５７】
該チューブ状部材を輪状に連接した状態での輪の大きさは、
１０ｃｍ以上６０ｃｍ以下であることを特徴とする、
請求項５５又は５６記載の水中に生息する鮫等の人的被害或いは食害を齎す生物を忌避する装置の使用方法。
【請求項５８】
該チューブ状部材を輪状に連接した状態での輪の大きさは、
１５ｃｍ以上４０ｃｍ以下であることを特徴とする、
請求項５７記載の水中に生息する鮫等の人的被害或いは食害を齎す生物を忌避する装置の使用方法。
【請求項５９】
該チューブ状部材を連接するためのジョイントは、
両端が相互に嵌合する構造としたことにより為されることを特徴とする、
請求項５５乃至５８の何れか一に記載の水中に生息する鮫等の人的被害或いは食害を齎す生物を忌避する装置の使用方法。
【請求項６０】
該チューブ状部材を連接するためのジョイントは、
磁石により接合するする構造としたことにより為されることを特徴とする、
請求項５５乃至５８の何れか一に記載の水中に生息する鮫等の人的被害或いは食害を齎す生物を忌避する装置の使用方法。
【請求項６１】
該チューブ状部材を連接するためのジョイントに用いられる磁石は、
ネオジム磁石であることを特徴とする、
請求項６０記載の水中に生息する鮫等の人的被害或いは食害を齎す生物を忌避する装置の使用方法。
【請求項６２】
該チューブ状部材から延伸する対向電極を備えた紐状の部材の長さは、
２０ｃｍ以上２ｍ以下であることを特徴とする、
請求項５５乃至６１の何れか一に記載の水中に生息する鮫等の人的被害或いは食害を齎す生物を忌避する装置の使用方法。
【請求項６３】
該チューブ状部材から延伸する対向電極を備えた紐状の部材の長さは、
３５ｃｍ以上１m５０ｃｍ以下であることを特徴とする、
請求項６２記載の水中に生息する鮫等の人的被害或いは食害を齎す生物を忌避する装置の使用方法。
【請求項６４】
該電極間に電圧を印加するための電源装置は、
電池を含んでなることを特徴とする、
請求項５５乃至６３の何れか一に記載の水中に生息する鮫等の人的被害或いは食害を齎す生物を忌避する装置の使用方法。
【請求項６５】
該電池は、
乾電池、ボタン型電池或いは充放電が可能な蓄電池であることを特徴とする、
請求項６４記載の水中に生息する鮫等の人的被害或いは食害を齎す生物を忌避する装置の使用方法。
【請求項６６】
該電極間に電圧を印加するための電源装置は、
パルス電圧を生成し供給する機能を有することを特徴とする、
請求項５５乃至６５の何れか一に記載の水中に生息する鮫等の人的被害或いは食害を齎す生物を忌避する装置の使用方法。
【請求項６７】
該電極間に電圧を印加するための電源装置により供給されるパルス電圧は、
パルス幅が１００ｍｓ以上３s以下であることを特徴とする、
請求項６５記載の水中に生息する鮫等の人的被害或いは食害を齎す生物を忌避する装置の使用方法。
【請求項６８】
該電極間に電圧を印加するための電源装置により供給されるパルス電圧は、
パルス間の時間が５ｓ以上３０s以下であることを特徴とする、
請求項６６又は６７記載の水中に生息する鮫等の人的被害或いは食害を齎す生物を忌避する装置の使用方法。
【請求項６９】
該電極間に電圧を印加するための電源装置により供給される電圧は、
３V以上３０V以下であることを特徴とする、
請求項６６乃至６８の何れか一に記載の水中に生息する鮫等の人的被害或いは食害を齎す生物を忌避する装置の使用方法。
【請求項７０】
該電極間に電圧を印加するための電源装置からの通電をオンオフするスイッチは、
水中に投入された場合にセンサーが反応してオンとなる構成であることを特徴とする、
請求項５５乃至６９の何れか一に記載の水中に生息する鮫等の人的被害或いは食害を齎す生物を忌避する装置の使用方法。
【発明の詳細な説明】
【技術分野】
【０００１】
本発明は、水中に生息する鮫等の人的被害或いは食害を齎す生物を忌避する装置及びその使用方法に関するものである。
【背景技術】
【０００２】
マグロ等の魚類の釣りの際、鮫等による食害は非常に頻度が高く、問題となっていた。レジャーとしての釣りに於いても、鮫等による食害は興趣を削ぎ、その価値を低下させる原因となっていた。
【０００３】
また、サーフィン等の海洋レジャー時の鮫等による人的被害も甚大であり、対策が求められていた。
【０００４】
これに対し、漁業分野では食害に対するさまざまな対策が講じられている。魚類、特に鮫など食害の頻度が高い軟骨魚類は頭部に電流を感知する感覚器官を有し、これを用いて捕食対象を捕捉する一助としている。ただし、かかる器官を有しているため電流に対しては非常に敏感であり、これを利用した忌避装置が提案されている。
【０００５】
例えば、マグロの一本釣り漁等では道糸に予め装備された電撃用の機器が用いられており、マグロが針にかかるとこれを投入し、船上からの給電によって数百ボルトの電撃を加えてマグロの活動を止めるとともに鮫等の食害を防止することが行われている。
【先行技術文献】
【特許文献】
【０００６】
【特許文献１】特開２００６ー１４９２７５号公報
【特許文献２】特開２０１３ー１６９１７０号公報
【発明の概要】
【発明が解決しようとする課題】
【０００７】
しかし、レジャーとしての釣りの場合、前記のような電撃装置を準備することはほとんど不可能であるばかりでなく、高電圧を海水中で用いることの危険性もあり、一般には用いられなかった。
【０００８】
同様に、高電圧を用いない対策も検討されている。特許文献１或いは特許文献２では、漁業用の食害忌避装置が開示されている。特許文献１では、はえ縄漁に於いて電流により鮫を忌避する方法が開示され、特許文献２では天秤の両端に電極を設け、錘の中に電源（電池）を内蔵して電流を流し、鮫等の食害を忌避する態様が開示されている。
【０００９】
しかし、簡便な構成でレジャーとしての釣りに於いても使用可能で、マグロ等の魚類の釣りの際の食害を忌避することの出来る装置は存在せず、これに対するニーズは大きかった。
【００１０】
さらに、簡便な構成でサーフィン等の海洋レジャー時に於いても使用可能で、鮫等による人的被害を忌避することの出来る装置は存在していない。かかる装置は人命を守るために有効であり、その効果は非常に大きい。
【課題を解決するための手段】
【００１１】
本発明は、水中に生息する鮫等の人的被害或いは食害を齎す生物を忌避する装置に於いて、粘弾性を有する材料よりなるチューブ状部材と、該チューブ状部材の一部に設けられ或いは内蔵された電源装置と、該チューブ状部材の外面の一部或いは全部に設けられた電極と、該チューブ状部材から延伸する対向電極を備えた紐状の部材と、該電極間に電圧を印加するための電源装置からの通電をオンオフするスイッチと、該チューブ状部材を輪状に連接するジョイント部材を備え、水中に投入して該電極間に電圧を印加することにより、水中に生息する鮫等の人的被害或いは食害を齎す生物を忌避する装置であり、その使用方法である。
【００１２】
また本発明は、該装置をマグロ等の魚類の釣りの際の食害を忌避するために用いるにあたり、該装置は船上に於いては該スイッチがオフ且つ該ジョイント部材が連接されていない状態で保管され、マグロ等の釣り対象魚が針にかかった後に該チューブ状部材を道糸を囲むように輪状にジョイント部材により連接し、道糸をガイドにして釣り対象魚の近傍まで投入することを特徴とする、水中に生息する鮫等の人的被害或いは食害を齎す生物を忌避する装置であり、その使用方法である。
【００１３】
また本発明は、該チューブ状部材に用いる粘弾性を有する材料が、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする。
【００１４】
また本発明は、該チューブ状部材を輪状に連接した状態での輪の大きさが１０ｃｍ以上６０ｃｍ以下であることを特徴とする。さらに、該チューブ状部材を輪状に連接した状態での輪の大きさは、１５ｃｍ以上４０ｃｍ以下であるであることが望ましい。
【００１５】
また本発明は、該チューブ状部材を連接するためのジョイントが両端が相互に嵌合する構造としたことにより為されることを特徴とする。
【００１６】
また本発明は、該チューブ状部材を連接するためのジョイントが磁石により接合するする構造としたことにより為されることを特徴とし、さらに、該チューブ状部材を連接するためのジョイントに用いられる磁石がネオジム磁石であることを特徴とする。
【００１７】
また本発明は、該チューブ状部材から延伸する対向電極を備えた紐状の部材の長さが３０ｃｍ以上３ｍ以下であることを特徴とし、さらに、該チューブ状部材から延伸する対向電極を備えた紐状の部材の長さが５０ｃｍ以上２ｍ以下であることを特徴とする。
【００１８】
また本発明は、該電極間に電圧を印加するための電源装置が電池を含んでなることを特徴とし、さらに、該電池が乾電池、ボタン型電池或いは充放電が可能な蓄電池であることを特徴とする。
【００１９】
また本発明は、該電極間に電圧を印加するための電源装置がパルス電圧を生成し供給する機能を有することを特徴とする。また、該電極間に電圧を印加するための電源装置により供給されるパルス電圧がパルス幅が１００ｍｓ以上３ｓ以下であることを特徴とし、該電極間に電圧を印加するための電源装置により供給されるパルス電圧がパルス間の時間が５ｓ以上３０ｓ以下であることを特徴とし、また、該電極間に電圧を印加するための電源装置により供給される電圧が３Ｖ以上３０Ｖ以下であることを特徴とする。
【００２０】
また本発明は、該電極間に電圧を印加するための電源装置からの通電をオンオフするスイッチが該チューブ状部材を連接するためのジョイントが連接されることによりオンとなる構成であることを特徴とする。或いは本発明は、該電極間に電圧を印加するための電源装置からの通電をオンオフするスイッチが水中に投入された場合にセンサーが反応してオンとなる構成であることを特徴とする。
【００２１】
また本発明は、該装置をマグロ等の魚類の釣りの際の食害を忌避するために用いるにあたり、該チューブ状部材を輪状に連接した本体が、投入後に対象魚の頭部に嵌ることにより鰓蓋の動きを制限し、対象魚の活動を規制することを特徴とする。
【００２２】
また本発明は、該装置をサーフィン等の海洋レジャー時の鮫等による人的被害を忌避するために用いるにあたり、該装置は使用者の腕、脚等に装着、救命胴衣等の装備に装着或いはサーフボード等の器具に設置して用いることを特徴とする、水中に生息する鮫等の人的被害或いは食害を齎す生物を忌避する装置であり、その使用方法である。
【００２３】
また本発明は、該チューブ状部材に用いる粘弾性を有する材料が、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする。
【００２４】
また本発明は、該チューブ状部材を輪状に連接した状態での輪の大きさが１０ｃｍ以上６０ｃｍ以下であることを特徴とする。さらに、該チューブ状部材を輪状に連接した状態での輪の大きさは、１５ｃｍ以上４５ｃｍ以下であるであることが望ましい。
【００２５】
また本発明は、該チューブ状部材を連接するためのジョイントが両端が相互に嵌合する構造としたことにより為されることを特徴とする。
【００２６】
また本発明は、該チューブ状部材を連接するためのジョイントが磁石により接合するする構造としたことにより為されることを特徴とし、さらに、該チューブ状部材を連接するためのジョイントに用いられる磁石がネオジム磁石であることを特徴とする。
【００２７】
また本発明は、該チューブ状部材から延伸する対向電極を備えた紐状の部材の長さが２０ｃｍ以上２ｍ以下であることを特徴とし、さらに、該チューブ状部材から延伸する対向電極を備えた紐状の部材の長さが３５ｃｍ以上１m５０ｃｍ以下であることを特徴とする。
【００２８】
また本発明は、該電極間に電圧を印加するための電源装置が電池を含んでなることを特徴とし、さらに、該電池が乾電池、ボタン型電池或いは充放電が可能な蓄電池であることを特徴とする。
【００２９】
また本発明は、該電極間に電圧を印加するための電源装置がパルス電圧を生成し供給する機能を有することを特徴とする。また、該電極間に電圧を印加するための電源装置により供給されるパルス電圧がパルス幅が１００ｍｓ以上３ｓ以下であることを特徴とし、該電極間に電圧を印加するための電源装置により供給されるパルス電圧がパルス間の時間が５ｓ以上３０ｓ以下であることを特徴とし、また、該電極間に電圧を印加するための電源装置により供給される電圧が３Ｖ以上３０Ｖ以下であることを特徴とする。
【００３０】
また本発明は、該電極間に電圧を印加するための電源装置からの通電をオンオフするスイッチが水中に投入された場合にセンサーが反応してオンとなる構成であることを特徴とする。
【発明の効果】
【００３１】
本発明に係る、水中に生息する鮫等の人的被害或いは食害を齎す生物を忌避する装置及びその使用方法は、簡便な構成で簡便な構成でレジャーとしての釣りに於いても使用可能で、マグロ等の魚類の釣りの際の食害を忌避することの出来る装置を提供し、さらに、簡便な構成でサーフィン等の海洋レジャー時に於いても使用可能で、鮫等による人的被害を忌避することの出来る装置を提供し、人命を守るためにも有効であり、もって社会に資することが出来る。
【図面の簡単な説明】
【００３２】
【図１】図１は、本発明に係る装置の、実施形態の一例を説明するための図面代用写真である。
【図２】図２は、本発明に係る装置の、電源部の構成を示す図面代用写真である。
【図３】図３は、本発明に係る装置の、ジョイント部の一例の形態を説明するための図面代用写真である。
【図４】図４は、本発明に係る装置の、使用形態の一例を説明するための図面代用写真である。
【発明を実施するための形態】
【００３３】
本発明は、水中に生息する鮫等の人的被害或いは食害を齎す生物を忌避する装置に於いて、粘弾性を有する材料よりなるチューブ状部材と、該チューブ状部材の一部に設けられ或いは内蔵された電源装置と、該チューブ状部材の外面の一部或いは全部に設けられた電極と、該チューブ状部材から延伸する対向電極を備えた紐状の部材と、該電極間に電圧を印加するための電源装置からの通電をオンオフするスイッチと、該チューブ状部材を輪状に連接するジョイント部材を備え、水中に投入して該電極間に電圧を印加することにより、水中に生息する鮫等の人的被害或いは食害を齎す生物を忌避する装置であり、その使用方法である。
【００３４】
また本発明は、該装置をマグロ等の魚類の釣りの際の食害を忌避するために用いるにあたり、該装置は船上に於いては該スイッチがオフ且つ該ジョイント部材が連接されていない状態で保管され、マグロ等の釣り対象魚が針にかかった後に該チューブ状部材を道糸を囲むように輪状にジョイント部材により連接し、道糸をガイドにして釣り対象魚の近傍まで投入することを特徴とする、水中に生息する鮫等の人的被害或いは食害を齎す生物を忌避する装置であり、その使用方法である。
【００３５】
また本発明は、該チューブ状部材に用いる粘弾性を有する材料が、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする。
【００３６】
また本発明は、該チューブ状部材を輪状に連接した状態での輪の大きさが２０ｃｍ以上８０ｃｍ以下であることを特徴とする。さらに、該チューブ状部材を輪状に連接した状態での輪の大きさは、３５ｃｍ以上６５ｃｍ以下であるであることが望ましい。
【００３７】
また本発明は、該チューブ状部材を連接するためのジョイントが両端が相互に嵌合する構造としたことにより為されることを特徴とする。
【００３８】
また本発明は、該チューブ状部材を連接するためのジョイントが磁石により接合するする構造としたことにより為されることを特徴とし、さらに、該チューブ状部材を連接するためのジョイントに用いられる磁石がネオジム磁石であることを特徴とする。
【００３９】
また本発明は、該チューブ状部材から延伸する対向電極を備えた紐状の部材の長さが３０ｃｍ以上３ｍ以下であることを特徴とし、さらに、該チューブ状部材から延伸する対向電極を備えた紐状の部材の長さが５０ｃｍ以上２m以下であることを特徴とする。
【００４０】
また本発明は、該電極間に電圧を印加するための電源装置が電池を含んでなることを特徴とし、さらに、該電池が乾電池、ボタン型電池或いは充放電が可能な蓄電池であることを特徴とする。
【００４１】
また本発明は、該電極間に電圧を印加するための電源装置がパルス電圧を生成し供給する機能を有することを特徴とする。また、該電極間に電圧を印加するための電源装置により供給されるパルス電圧がパルス幅が１００ｍｓ以上３ｓ以下であることを特徴とし、該電極間に電圧を印加するための電源装置により供給されるパルス電圧がパルス間の時間が５ｓ以上３０ｓ以下であることを特徴とし、また、該電極間に電圧を印加するための電源装置により供給される電圧が３V以上３０V以下であることを特徴とする。
【００４２】
また本発明は、該電極間に電圧を印加するための電源装置からの通電をオンオフするスイッチが該チューブ状部材を連接するためのジョイントが連接されることによりオンとなる構成であることを特徴とする。或いは本発明は、該電極間に電圧を印加するための電源装置からの通電をオンオフするスイッチが水中に投入された場合にセンサーが反応してオンとなる構成であることを特徴とする。
【００４３】
また本発明は、該装置をマグロ等の魚類の釣りの際の食害を忌避するために用いるにあたり、該チューブ状部材を輪状に連接した本体が、投入後に対象魚の頭部に嵌ることにより鰓蓋の動きを制限し、対象魚の活動を規制することを特徴とする。
【００４４】
また本発明は、該装置をサーフィン等の海洋レジャー時の鮫等による人的被害を忌避するために用いるにあたり、該装置は使用者の腕、脚等に装着、救命胴衣等の装備に装着或いはサーフボード等の器具に設置して用いることを特徴とする、水中に生息する鮫等の人的被害或いは食害を齎す生物を忌避する装置であり、その使用方法である。
【００４５】
また本発明は、該チューブ状部材に用いる粘弾性を有する材料が、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする。
【００４６】
また本発明は、該チューブ状部材を輪状に連接した状態での輪の大きさが1０ｃｍ以上6０ｃｍ以下であることを特徴とする。さらに、該チューブ状部材を輪状に連接した状態での輪の大きさは、１５ｃｍ以上４５ｃｍ以下であるであることが望ましい。
【００４７】
また本発明は、該チューブ状部材を連接するためのジョイントが両端が相互に嵌合する構造としたことにより為されることを特徴とする。
【００４８】
また本発明は、該チューブ状部材を連接するためのジョイントが磁石により接合するする構造としたことにより為されることを特徴とし、さらに、該チューブ状部材を連接するためのジョイントに用いられる磁石がネオジム磁石であることを特徴とする。
【００４９】
また本発明は、該チューブ状部材から延伸する対向電極を備えた紐状の部材の長さが２０ｃｍ以上２ｍ以下であることを特徴とし、さらに、該チューブ状部材から延伸する対向電極を備えた紐状の部材の長さが３５ｃｍ以上１m５０ｃｍ以下であることを特徴とする。
【００５０】
また本発明は、該電極間に電圧を印加するための電源装置が電池を含んでなることを特徴とし、さらに、該電池が乾電池、ボタン型電池或いは充放電が可能な蓄電池であることを特徴とする。
【００５１】
また本発明は、該電極間に電圧を印加するための電源装置がパルス電圧を生成し供給する機能を有することを特徴とする。また、該電極間に電圧を印加するための電源装置により供給されるパルス電圧がパルス幅が１００ｍｓ以上３ｓ以下であることを特徴とし、該電極間に電圧を印加するための電源装置により供給されるパルス電圧がパルス間の時間が５ｓ以上３０ｓ以下であることを特徴とし、また、該電極間に電圧を印加するための電源装置により供給される電圧が３Ｖ以上３０Ｖ以下であることを特徴とする。
【００５２】
また本発明は、該電極間に電圧を印加するための電源装置からの通電をオンオフするスイッチが水中に投入された場合にセンサーが反応してオンとなる構成であることを特徴とする。
【００５３】
本発明に係る、水中に生息する鮫等の人的被害或いは食害を齎す生物を忌避する装置及びその使用方法は、簡便な構成で簡便な構成でレジャーとしての釣りに於いても使用可能で、マグロ等の魚類の釣りの際の食害を忌避することの出来る装置を提供し、さらに、簡便な構成でサーフィン等の海洋レジャー時に於いても使用可能で、鮫等による人的被害を忌避することの出来る装置を提供し、人命を守るためにも有効である。
【実施例１】
【００５４】
以下、本発明に係る、水中に生息する鮫等の人的被害或いは食害を齎す生物を忌避する装置及びその使用方法の実施の例を図面を用いて説明する。図１は、本発明に係る装置の、実施形態の一例を説明するための図面代用写真である。本発明は、水中に生息する鮫等の人的被害或いは食害を齎す生物を忌避する装置に於いて、粘弾性を有する材料よりなるチューブ状部材と、該チューブ状部材の一部に設けられ或いは内蔵された電源装置と、該チューブ状部材の外面の一部或いは全部に設けられた電極と、該チューブ状部材から延伸する対向電極を備えた紐状の部材と、該電極間に電圧を印加するための電源装置からの通電をオンオフするスイッチと、該チューブ状部材を輪状に連接するジョイント部材を備え、水中に投入して該電極間に電圧を印加することにより、水中に生息する鮫等の人的被害或いは食害を齎す生物を忌避する装置であり、その使用方法である。
【００５５】
図１は本発明に係る装置の試作状態を示すものである。本発明はかかる形態に限定されるものではないことは言うまでもない。ここで、本実施例に於いては発明に係る装置をマグロ等の魚類の釣りの際の食害を忌避するために用いる形態について説明する。
【００５６】
本発明に係る装置をマグロ等の魚類の釣りの際の食害を忌避するために用いるにあたり、該装置は船上に於いては該スイッチがオフ且つ該ジョイント部材が連接されていない状態で保管され、マグロ等の釣り対象魚が針にかかった後に該チューブ状部材を道糸を囲むように輪状にジョイント部材により連接し、道糸をガイドにして釣り対象魚の近傍まで投入して用いる。図３に、本発明に係る装置の、ジョイント部の一例の形態を説明するための図面代用写真を示す。
【００５７】
図１中、粘弾性を有する材料よりなるチューブ状部材１が本体を形成する。チューブ状部材に用いる粘弾性を有する材料は、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかが好適に用いられる。
【００５８】
ここで、本体を形成する材料は、これを輪状に連接して用いることに加えて、道糸をガイドにして釣り対象魚の近傍まで投入する際に道糸との摩擦で道糸を破損することがないようにする必要があり、前記の材料群から選択されることが望ましい。
【００５９】
本実施例に於いては、チューブ状部材を輪状に連接した状態での輪の大きさが２３ｃｍ程度に形成した。ここで、チューブ状部材を輪状に連接した状態での輪の大きさが１０ｃｍ以上６０ｃｍ以下であることが望ましく、さらに、該チューブ状部材を輪状に連接した状態での輪の大きさは、１５ｃｍ以上４０ｃｍ以下であることが望ましい。これは、対象魚類に有効であるとともに該装置をマグロ等の魚類の釣りの際の食害を忌避するために用いるにあたり、該チューブ状部材を輪状に連接した本体が、投入後に対象魚の頭部に嵌ることにより鰓蓋の動きを制限し、対象魚の活動を規制する効果をも生じさせるためである。
【００６０】
本実施例に於いては、電源部２に電源として乾電池を内蔵し、さらにパルス電圧を生成する回路を内蔵して用いた。図２に電源部の構成を示す図面代用写真を示す。図中右側が電池ケースであり、左側の電源回路とともに本体の電源部２に使用した。ここで、本実施例は実験試作であり、実際の製品では小型化の上で本体部１に内蔵するようにすれば良い。
【００６１】
本発明に於いては、該チューブ状部材を連接するためのジョイントが両端が相互に嵌合する構造とした。これにより、船上に於いては該スイッチがオフ且つ該ジョイント部材が連接されていない状態で保管され、マグロ等の釣り対象魚が針にかかった後に該チューブ状部材を道糸を囲むように輪状にジョイント部材により連接し、道糸をガイドにして釣り対象魚の近傍まで投入することが可能となった。
【００６２】
ここで、本発明に於いては、チューブ状部材を連接するためのジョイントを磁石により接合するする構造とすることも有効である。特に、強力な磁力を有するネオジム磁石等を用いることにより、電流のみでなく磁界による鮫等の忌避効果を重畳して得られ、効果を増大することができる。
【００６３】
図４は、本発明に係る装置の、使用形態の一例を説明するための図面代用写真である。道糸に見立てた棒を囲むようにチューブ状部材を連接することにより、道糸をガイドにして釣り対象魚の近傍まで投入することを可能にしている。
【００６４】
本発明に於いては、チューブ状部材から延伸する対向電極を備えた紐状の部材の長さが３０ｃｍ以上３ｍ以下であることが望ましく、さらに、該チューブ状部材から延伸する対向電極を備えた紐状の部材の長さが５０ｃｍ以上２m以下であることが望ましい。これは、対象魚のサイズと忌避効果、電源の有効時間から決定される。これらの範囲の延伸する対向電極を用いることで、マグロ等のサイズの大きな対象魚に於いても有効であり、且つ十分な持続時間を得ることができる。
【００６５】
本発明に於いては、電極間に電圧を印加するための電源装置が電池を含んでなることが望ましく、さらに、該電池が乾電池、ボタン型電池或いは充放電が可能な蓄電池であることが望ましい。これらを使用することにより、船上からの送電が不要となり、レジャー用としても簡便に使用することが可能な装置が実現される。
【００６６】
本発明に於いては、電極間に電圧を印加するための電源装置がパルス電圧を生成し供給する機能を有するようにした。これにより、特に海水中での放電による電池の減衰量を少なく抑え、長時間の使用に耐える装置を構成することができる。
【００６７】
電極間に電圧を印加するための電源装置により供給されるパルス電圧は、パルス幅が１００ｍｓ以上３s以下であることが望ましい。また、電極間に電圧を印加するための電源装置により供給されるパルス電圧のパルス間の時間が５ｓ以上３０s以下であることが望ましい。また、電極間に電圧を印加するための電源装置により供給される電圧は３V以上３０V以下であることが望ましい。かかる範囲で用いることにより、忌避効果を損なうことなく水中での放電による電池の減衰量を少なく抑え、長時間の使用に耐える装置を構成することができる。
【００６８】
本発明に於いては、電極間に電圧を印加するための電源装置からの通電をオンオフするスイッチが該チューブ状部材を連接するためのジョイントが連接されることによりオンとなる構成とすることが有効であった。これにより、特にスイッチ操作を要することなく使用状態に移行することができた。また、電極間に電圧を印加するための電源装置からの通電をオンオフするスイッチが水中に投入された場合にセンサーが反応してオンとなる構成とすることも同様に有効である。この場合、水中に投入された際に抵抗値が変化することを感知するセンサー等が好適に用いられる。
【実施例２】
【００６９】
次に、本発明に係る装置を、サーフィン等の海洋レジャー時の鮫等による人的被害を忌避するために用いる例について説明する。本発明に係る装置は使用者の腕、脚等に装着、救命胴衣等の装備に装着或いはサーフボード等の器具に設置して用いることにより、水中に生息する鮫等の人的被害或いは食害を齎す生物を忌避することができる。
【００７０】
かかる使用方法の場合、特にチューブ状部材を輪状に連接した状態での輪の大きさが１０ｃｍ以上６０ｃｍ以下であることが望ましく、さらに、該チューブ状部材を輪状に連接した状態での輪の大きさは、１５ｃｍ以上４５ｃｍ以下であることが望ましい。これは、使用者の腕、脚等に装着する便宜、及びサーフボード等の器具に設置して用いるために好適だからである。
【００７１】
また、かかる使用方法の場合、チューブ状部材から延伸する対向電極を備えた紐状の部材の長さが２０ｃｍ以上２ｍ以下であることが望ましく、さらに、該チューブ状部材から延伸する対向電極を備えた紐状の部材の長さが３５ｃｍ以上１m５０ｃｍ以下であることが望ましい。これは、使用者の体格やサーフボード等の器具のサイズを勘案して、必要且つ十分な電界範囲を確保するためである。
【００７２】
かかる使用方法の場合、通電をオンオフするスイッチは、水中に投入された場合にセンサーが反応してオンとなる構成とすることが有効である。これは、使用者が落水した場合に鮫等による危害のリスクが生じるからである。また、落水前にはスイッチがオフであることにより、使用時間及び待機時間を延ばす効果がある。
【産業上の利用可能性】
【００７３】
以上述べてきたように、本発明に係る水中に生息する鮫等の人的被害或いは食害を齎す生物を忌避する装置及びその使用方法は、簡便な構成で簡便な構成でレジャーとしての釣りに於いても使用可能で、マグロ等の魚類の釣りの際の食害を忌避することの出来る装置を提供し、さらに、簡便な構成でサーフィン等の海洋レジャー時に於いても使用可能で、鮫等による人的被害を忌避することの出来る装置を提供し、人命を守るためにも有効であり、産業上の利用可能性は大である。
【符号の説明】
【００７４】
１    粘弾性を有する材料よりなるチューブ状部材
２    電源装置
３    ジョイント部
４    対向電極
【図１】
2019068766.tif 000003
【図２】
2019068766.tif 000004
【図３】
2019068766.tif 000005
【図４】
2019068766.tif 000006